(57)【要約】【課題】タッチスクリーンディスプレイ上での手書き入力中にタッチスクリーンディスプレイの輝度が変動することを防止する電子機器を提供する。【解決手段】実施形態によれば、電子機器は、タッチスクリーンディスプレイと、照度センサと、制御手段と、設定手段とを具備する。制御手段は、前記照度センサの検出信号に基づき、前記タッチスクリーンディスプレイの輝度を制御する。設定手段は、前記タッチスクリーンディスプレイを介した入力が行われる場合、前記タッチスクリーンディスプレイの輝度を変動させないように、前記制御手段による前記タッチスクリーンディスプレイの輝度の制御機能をオフに設定する。【選択図】図３
2014215749.tif 000002
【特許請求の範囲】
【請求項１】
タッチスクリーンディスプレイと、
照度センサと、
前記照度センサの検出信号に基づき、前記タッチスクリーンディスプレイの輝度を制御する制御手段と、
前記タッチスクリーンディスプレイを介した入力が行われる場合、前記タッチスクリーンディスプレイの輝度を変動させないように、前記制御手段による前記タッチスクリーンディスプレイの輝度の制御機能をオフに設定する設定手段と、
を具備する電子機器。
【請求項２】
前記設定手段は、前記タッチスクリーンディスプレイを介した入力がなされている期間は少なくとも、前記制御手段による前記タッチスクリーンディスプレイの輝度の制御機能をオフに設定する請求項１に記載の電子機器。
【請求項３】
前記設定手段は、前記制御手段による前記タッチスクリーンディスプレイの輝度の制御機能をオフに設定した後、前記タッチスクリーンディスプレイを介した入力が第１期間を超えてなされない場合、前記制御手段による前記タッチスクリーンディスプレイの輝度の制御機能をオンに設定する請求項２に記載の電子機器。
【請求項４】
前記タッチスクリーンディスプレイは、デジタイザを具備し、
前記設定手段は、前記デジタイザによりスタイラスの存在が検知された場合に、前記制御手段による前記タッチスクリーンディスプレイの輝度の制御機能をオフに設定する請求項１に記載の電子機器。
【請求項５】
前記設定手段は、前記制御手段による前記タッチスクリーンディスプレイの輝度の制御機能をオフに設定した後、前記デジタイザによりスタイラスの存在が第１期間を超えて検知されない場合、前記制御手段による前記タッチスクリーンディスプレイの輝度の制御機能をオンに設定する請求項４に記載の電子機器。
【請求項６】
前記設定手段は、前記タッチスクリーンディスプレイを介した手書き入力を受け付け可能な第１プログラムが起動した場合に、前記制御手段による前記タッチスクリーンディスプレイの輝度の制御機能をオフに設定する請求項１に記載の電子機器。
【請求項７】
前記設定手段は、前記制御手段による前記タッチスクリーンディスプレイの輝度の制御機能をオフに設定した後、前記第１プログラムが終了した場合、前記制御手段による前記タッチスクリーンディスプレイの輝度の制御機能をオンに設定する請求項６に記載の電子機器。
【請求項８】
前記照度センサは、前記タッチスクリーンディスプレイのディスプレイ面の周辺部に設けられる請求項１に記載の電子機器。
【請求項９】
電子機器の制御方法であって、
照度センサの検出信号に基づき、タッチスクリーンディスプレイの輝度を制御し、
前記タッチスクリーンディスプレイを介した入力が行われる場合、前記タッチスクリーンディスプレイの輝度を変動させないように、前記タッチスクリーンディスプレイの輝度の制御機能をオフに設定する、
制御方法。
【請求項１０】
前記タッチスクリーンディスプレイを介した入力がなされている期間は少なくとも、前記タッチスクリーンディスプレイの輝度の制御機能をオフに設定する請求項９に記載の制御方法。
【請求項１１】
前記タッチスクリーンディスプレイの輝度の制御機能をオフに設定した後、前記タッチスクリーンディスプレイを介した入力が第１期間を超えてなされない場合、前記タッチスクリーンディスプレイの輝度の制御機能をオンに設定する請求項１０に記載の制御方法。
【請求項１２】
前記タッチスクリーンディスプレイに具備されるデジタイザによりスタイラスの存在が検知された場合に、前記タッチスクリーンディスプレイの輝度の制御機能をオフに設定する請求項９に記載の制御方法。
【請求項１３】
前記タッチスクリーンディスプレイの輝度の制御機能をオフに設定した後、前記デジタイザによりスタイラスの存在が第１期間を超えて検知されない場合、前記タッチスクリーンディスプレイの輝度の制御機能をオンに設定する請求項１２に記載の制御方法。
【請求項１４】
前記タッチスクリーンディスプレイを介した手書き入力を受け付け可能な第１プログラムが起動した場合に、前記タッチスクリーンディスプレイの輝度の制御機能をオフに設定する請求項９に記載の制御方法。
【請求項１５】
前記タッチスクリーンディスプレイの輝度の制御機能をオフに設定した後、前記第１プログラムが終了した場合、前記タッチスクリーンディスプレイの輝度の制御機能をオンに設定する請求項１４に記載の制御方法。
【請求項１６】
コンピュータを、
照度センサの検出信号に基づき、タッチスクリーンディスプレイの輝度を制御する制御手段、
前記タッチスクリーンディスプレイを介した入力が行われる場合、前記タッチスクリーンディスプレイの輝度を変動させないように、前記制御手段による前記タッチスクリーンディスプレイの輝度の制御機能をオフに設定する設定手段、
として機能させるためのプログラム。
【請求項１７】
前記設定手段は、前記タッチスクリーンディスプレイを介した入力がなされている期間は少なくとも、前記制御手段による前記タッチスクリーンディスプレイの輝度の制御機能をオフに設定する請求項１６に記載のプログラム。
【請求項１８】
前記設定手段は、前記タッチスクリーンディスプレイに具備される前記デジタイザによりスタイラスの存在が検知された場合に、前記制御手段による前記タッチスクリーンディスプレイの輝度の制御機能をオフに設定する請求項１６に記載のプログラム。
【請求項１９】
前記設定手段は、前記タッチスクリーンディスプレイを介した手書き入力を受け付け可能な第１プログラムが起動した場合に、前記制御手段による前記タッチスクリーンディスプレイの輝度の制御機能をオフに設定する請求項１６に記載のプログラム。
【発明の詳細な説明】
【技術分野】
【０００１】
本発明の実施形態は、電子機器におけるタッチスクリーンディスプレイの輝度制御技術に関する。
【背景技術】
【０００２】
近年、タブレット端末やスマートフォンといったバッテリ駆動可能で携行容易な電子機器が種々開発されている。この種の電子機器の多くは、ユーザによる入力操作を容易にするために、タッチスクリーンディスプレイを備えている。
【０００３】
ユーザは、タッチスクリーンディスプレイ上に表示されるアイコンやメニューを指やペンでタッチすることにより、これらアイコンやメニューに関連づけられた機能の実行を電子機器に指示することができる。
【０００４】
また、この種の電子機器は、バッテリ駆動時の連続稼働時間を少しでも長く確保するために、様々な省電力機能を有しており、その一環として、タッチスクリーンディスプレイの輝度を状況に応じて制御するといったことも行われている。
【先行技術文献】
【特許文献】
【０００５】
【特許文献１】特開２０１２−７３９１４号公報
【発明の概要】
【発明が解決しようとする課題】
【０００６】
ところで、タッチスクリーンディスプレイを使った入力操作は、電子機器に対して動作指示を与えるに止まらず、手書きで文書を入力する用途にも使われている。最近では、この種の電子機器を持参して会議に出席し、タッチスクリーンディスプレイ上で手書き入力を行うことで、メモを取ること等も行われ始めている。
【０００７】
一方、前述したタッチスクリーンディスプレイの輝度を状況に応じて制御するための手法として、照度センサを設け、周囲の明るさに応じて、タッチスクリーンディスプレイの輝度を制御するといった手法が存在する。照度センサは、通常、タッチスクリーンディスプレイのディスプレイ面の周辺部に設けられる。
【０００８】
タッチスクリーンディスプレイ上での手書き入力時においては、（タッチスクリーンディスプレイのディスプレイ面の周辺部に設けられる）照度センサがユーザの手によって覆われてしまうおそれが少なくない。照度センサがユーザの手によって覆われると、照度センサで検出される照度が変動し、これに伴い、タッチスクリーンディスプレイの輝度が変動する。しかしながら、タッチスクリーンディスプレイ上での手書き入力中に、タッチスクリーンディスプレイの輝度が変動することは好ましくない。
【０００９】
本発明の実施形態は、タッチスクリーンディスプレイ上での手書き入力中にタッチスクリーンディスプレイの輝度が変動することを防止する電子機器、制御方法およびプログラムを提供することを目的とする。
【課題を解決するための手段】
【００１０】
実施形態によれば、電子機器は、タッチスクリーンディスプレイと、照度センサと、制御手段と、設定手段とを具備する。制御手段は、前記照度センサの検出信号に基づき、前記タッチスクリーンディスプレイの輝度を制御する。設定手段は、前記タッチスクリーンディスプレイを介した入力が行われる場合、前記タッチスクリーンディスプレイの輝度を変動させないように、前記制御手段による前記タッチスクリーンディスプレイの輝度の制御機能をオフに設定する。
【図面の簡単な説明】
【００１１】
【図１】実施形態の電子機器の外観を示す図。
【図２】実施形態の電子機器のシステム構成を示す図。
【図３】実施形態の電子機器上で動作する画面輝度制御ユーティリティプログラムの機能を説明するための機能ブロック図。
【図４】実施形態の電子機器上で動作する画面輝度制御ユーティリティプログラムによってタッチスクリーンディスプレイの輝度が制御される様子を示す図。
【図５】実施形態の電子機器におけるタッチスクリーンディスプレイの輝度の制御手順（第１パターン）を示すフローチャート。
【図６】実施形態の電子機器におけるタッチスクリーンディスプレイの輝度の制御手順（第２パターン）を示すフローチャート。
【発明を実施するための形態】
【００１２】
以下、実施の形態について図面を参照して説明する。
【００１３】
本実施形態の電子機器は、例えば、タブレット端末、ノートブック型パーソナルコンピュータ、スマートフォン、ＰＤＡ等、ペンや指によってタッチ入力可能な携帯型電子機器として実現され得る。図１は、本実施形態に係る電子機器の外観を示す図である。図１に示すように、ここでは、電子機器が、タブレット端末１として実現されている場合を想定する。タブレット端末１は、本体１１、タッチスクリーンディスプレイ１２、カメラ１３および照度センサ１４等を備える。タッチスクリーンディスプレイ１２は、本体１１の上面に重ね合わせるように取り付けられている。カメラ１３および照度センサ１４は、本体１１の上面であって、タッチスクリーンディスプレイ１２のディスプレイ面の周辺部に配置されている。カメラ１３は、レンズを被写体に向け易いように、本体１１の上面の端部であって、ある一辺の中央部に配置される。一般に、ユーザの手が、カメラ１３のレンズを覆うことはあまりないと考えられる。この点を考慮して、照度センサ１４は、（なるべくユーザの手で覆われないように）カメラ１３の近傍に配置されている。
【００１４】
本体１１は、薄い箱形の筐体を有している。タッチスクリーンディスプレイ１２には、フラットパネルディスプレイと、フラットパネルディスプレイの画面上のペンや指の接触位置を検出するように構成されたセンサとが組み込まれている。フラットパネルディスプレイは、例えば液晶表示装置（ＬＣＤ：Liquid crystal display）である。センサは、例えば静電容量方式のタッチパネルや電磁誘導方式のデジタイザである。以下では、タッチパネルとデジタイザとの２種類のセンサの双方がタッチスクリーンディスプレイ１２に組み込まれている場合を想定する。
【００１５】
タッチパネルおよびデジタイザの各々は、フラットパネルディスプレイの画面を覆うように設けられる。タッチスクリーンディスプレイ１２は、指を使用した画面に対するタッチ入力のみならず、ペンを使用した画面に対するタッチ入力も検出することができる。ペンは例えば電磁誘導ペンである。ユーザは、ペンまたは指を使用してタッチスクリーンディスプレイ１２上で手書き入力を行うことができる。ペンまたは指による手書き入力の軌跡（筆跡）は、画面上に表示される。
【００１６】
照度センサ１４は、周囲の明るさに応じてタッチスクリーンディスプレイ１２の輝度を制御するために設けられるデバイスである。前述したように、なるべくユーザの手で覆われないように、（ユーザの手で覆われることはあまりないと考えられる）カメラ１３の近傍に配置される。
【００１７】
カメラ１３の近傍に配置されるとはいえ、タッチスクリーンディスプレイ１２上での手書き入力中に、照度センサ１４がユーザの手で覆われるおそれは否定できない。照度センサ１４がユーザの手で覆われると、照度センサ１４によって検知される照度が変動し、これに伴い、タッチスクリーンディスプレイ１２の輝度が変動し得る。タッチスクリーンディスプレイ１２上での手書き入力中に、タッチスクリーンディスプレイ１２の輝度が変動することは好ましくない。本タブレット端末１は、タッチスクリーンディスプレイ１２上での手書き入力中にタッチスクリーンディスプレイ１２の輝度が変動することを防止する仕組みを備えたものであり、以下、この点について詳述する。
【００１８】
図２は、本タブレット端末１のシステム構成を示す図である。
【００１９】
本タブレット端末１は、図２に示されるように、ＣＰＵ１０１、システムコントローラ１０２、主メモリ１０３、グラフィクスコントローラ１０４、ＢＩＯＳ−ＲＯＭ１０５、不揮発性メモリ１０６、無線通信デバイス１０７およびＥＣ（Embedded controller）１０８等を備える。
【００２０】
ＣＰＵ１０１は、タブレット端末１内の各種モジュールの動作を制御するプロセッサである。ＣＰＵ１０１は、不揮発性メモリ１０６から主メモリ１０３にロードされる各種ソフトウェアを実行する。これらソフトウェアには、オペレーティングシステム（ＯＳ）２０１や、当該ＯＳ２０１の制御下で動作する画面輝度制御ユーティリティプログラム２０２および手書き入力アプリケーションプログラム２０３等が含まれている。手書き入力アプリケーションプログラム２０３は、タッチスクリーンディスプレイ１２上でのタッチ入力を受け付け可能なプログラムであり、前述した手書き入力の軌跡（筆跡）を画面上に表示する機能は、手書き入力アプリケーションプログラム２０３によって提供される。画面輝度制御ユーティリティプログラム２０２については後述する。
【００２１】
また、ＣＰＵ１０１は、ＢＩＯＳ−ＲＯＭ１０５に格納された基本入出力システム（ＢＩＯＳ：Basic input/output system）も実行する。ＢＩＯＳは、ハードウェア制御のためのプログラムである。
【００２２】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。システムコントローラ１０２は、ＰＣＩ  ＥＸＰＲＥＳＳ規格のシリアルバスなどを介してグラフィクスコントローラ１０４との通信を実行する機能も有している。また、システムコントローラ１０２は、照度センサ１４の検出信号に基づき、タッチスクリーンディスプレイ１２（ＬＣＤ１２Ａ）の輝度を制御する輝度コントローラ１０２Ａを有している。この輝度コントローラ１０２Ａの制御機能は、システムコントローラ１０２に対してコマンドを発行することによってオンまたはオフに設定することができる。
【００２３】
グラフィクスコントローラ１０４は、タブレット端末１のディスプレイモニタとして使用されるＬＣＤ１２Ａを制御する表示コントローラである。このグラフィクスコントローラ１０４によって生成される表示信号はＬＣＤ１２Ａに送られる。ＬＣＤ１２Ａは、表示信号に基づいて画面イメージを表示する。ＬＣＤ１２Ａ上にはタッチパネル１２Ｂおよびデジタイザ１２Ｃが配置されている。タッチパネル１２Ｂは、ＬＣＤ１２Ａの画面上で入力を行うための静電容量式のポインティングデバイスである。指による画面上の接触位置はタッチパネル１２Ｂによって検出される。デジタイザ１２ＣはＬＣＤ１２Ａの画面上で入力を行うための電磁誘導式のポインティングデバイスである。ペン（スタイラス）による画面上の接触位置はデジタイザ１２Ｃによって検出される。
【００２４】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じてタブレット端末１を電源オン／オフする機能を有している。
【００２５】
次に、図３を参照して、本タブレット端末１上で動作する画面輝度制御ユーティリティプログラム２０２の機能について説明する。図３は、画面輝度制御ユーティリティプログラム２０２の機能を説明するための機能ブロック図である。
【００２６】
図３に示すように、画面輝度制御ユーティリティプログラム２０２は、手書き入力検出モジュール３１と、画面輝度制御モジュール３２とを有している。
【００２７】
前述したように、タッチスクリーンディスプレイ１２は、画面に対するタッチ操作をタッチパネル１２Ｂまたはデジタイザ１２Ｃで検出する。手書き入力アプリケーションプログラム２０３は、このタッチパネル１２Ｂまたはデジタイザ１２Ｃから出力される検出信号を入力し、手書き入力の軌跡（筆跡）を描画して、グラフィクスコントローラ１０４を介してタッチスクリーンディスプレイ１２（ＬＣＤ１２Ａ）に表示する。また、輝度コントローラ１０２Ａは、照度センサ１４が検出する照度に基づき、タッチスクリーンディスプレイ１２（ＬＣＤ１２Ａ）の輝度を制御する。
【００２８】
手書き入力検出モジュール３１は、本タブレット端末１がタッチスクリーンディスプレイ１２上での手書き入力が行われ得る状態にあることを検出するモジュールであり、画面輝度制御モジュール３２は、本タブレット端末１がタッチスクリーンディスプレイ１２上での手書き入力が行われ得る状態にあるならば、輝度コントローラ１０２Ａの制御機能をオフに設定するモジュールである。輝度コントローラ１０２Ａは、タッチスクリーンディスプレイ１２の輝度を制御する機能のオン／オフを切替え可能とするための設定情報３０１を保持している。画面輝度制御モジュール３２は、システムコントローラ１０２に対して、この輝度コントローラ１０２Ａが保持する設定情報３０１を更新するコマンドを発行することで、輝度コントローラ１０２Ａの制御機能をオフに設定する。つまり、画面輝度制御ユーティリティプログラム２０２は、タッチスクリーンディスプレイ１２上での手書き入力中にタッチスクリーンディスプレイ１２の輝度が変動することを防止するためのプログラムである。
【００２９】
手書き入力検出モジュール３１が、本タブレット端末１がタッチスクリーンディスプレイ１２上での手書き入力が行われ得る状態にあることを検出する方法としては、大きく分けて、（１）タッチパネル１２Ｂまたはデジタイザ１２Ｃからの検出信号の出力を監視する方法（図３のａ１）と、（２）手書き入力アプリケーションプログラム２０３の起動を監視する方法（図３のａ２）とが考えられる。また、デジタイザ１２Ｃは、ペン（スタイラス）が近くに存在することを検出できるので、（１）の方法の場合においても、ユーザがペンを使って手書き入力する場合には、実際に手書き入力が行われる前に、本タブレット端末１がタッチスクリーンディスプレイ１２上での手書き入力が行われ得る状態にあることを検出できる。手書き入力検出モジュール３１は、上記（１）または（２）のいずれの方法を採用してもよいし、両方の方法を併せて採用してもよい。
【００３０】
これにより、例えば、図４に示すように、従来であれば、タッチスクリーンディスプレイ１２上での手書き入力中に、（なるべくユーザの手で覆われないようにカメラ１３の近傍に配置されているものの）照度センサ１４がユーザの手で覆われると、タッチスクリーンディスプレイ１２の輝度が変動してしまっていたものを（図４の（Ａ）→（Ｂ））、本タブレット端末１においては、タッチスクリーンディスプレイ１２の輝度が変動してしまうことを防止できる（図４の（Ａ）→（Ｃ））。
【００３１】
手書き入力検出モジュール３１は、本タブレット端末１がタッチスクリーンディスプレイ１２上での手書き入力が行われ得る状態ではなくなったことも検出する。より具体的には、（１）タッチパネル１２Ｂまたはデジタイザ１２Ｃから一定期間を超えて検出信号の出力が途絶えた、（２）手書き入力アプリケーションプログラム２０３が終了した、等の場合に、手書き入力検出モジュール３１は、本タブレット端末１がタッチスクリーンディスプレイ１２上での手書き入力が行われ得る状態ではなくなったと判断する。
【００３２】
画面輝度制御モジュール３２は、本タブレット端末１がタッチスクリーンディスプレイ１２上での手書き入力が行われ得る状態ではなくなったならば、輝度コントローラ１０２Ａの制御機能をオンに再設定する。
【００３３】
図５は、本タブレット端末１におけるタッチスクリーンディスプレイ１２の輝度の制御手順（第１パターン）を示すフローチャートである。
【００３４】
（スタイラスが近くに存在することの検知を含む）タッチスクリーンディスプレイ１２上での手書き入力が行われたことを検知すると（ブロックＡ１のＹＥＳ）、本タブレット端末１は、照度センサ１４で検知される照度に基づくタッチスクリーンディスプレイ１２の輝度の制御機能をオフに設定する（ブロックＡ２）。
【００３５】
タッチスクリーンディスプレイ１２の輝度の制御機能をオフに設定すると、本タブレット端末１は、タッチスクリーンディスプレイ１２上での手書き入力が継続しているかどうかを監視し（ブロックＡ３）、継続していなければ（ブロックＡ３のＮＯ）、続いて、タッチスクリーンディスプレイ１２上での手書き入力が途絶えてから一定期間が経過していないかどうかを調べる（ブロックＡ４）。
【００３６】
タッチスクリーンディスプレイ１２上での手書き入力が途絶えてから一定期間が経過している場合（ブロックＡ４のＹＥＳ）、本タブレット端末１は、照度センサ１４で検知される照度に基づくタッチスクリーンディスプレイ１２の輝度の制御機能をオンに再設定する（ブロックＡ５）。
【００３７】
また、図６は、本タブレット端末１におけるタッチスクリーンディスプレイ１２の輝度の制御手順（第２パターン）を示すフローチャートである。
【００３８】
タッチスクリーンディスプレイ１２上での手書き入力を受け付け可能なプログラム、つまり手書き入力アプリケーションプログラム２０３が起動すると（ブロックＢ１）、本タブレット端末１は、照度センサ１４で検知される照度に基づくタッチスクリーンディスプレイ１２の輝度の制御機能をオフに設定する（ブロックＢ２）。
【００３９】
タッチスクリーンディスプレイ１２の輝度の制御機能をオフに設定すると、本タブレット端末１は、手書き入力アプリケーションプログラム２０３が終了していないかどうかを監視する（ブロックＢ３）。そして、手書き入力アプリケーションプログラム２０３が終了した場合（ブロックＢ３のＹＥＳ）、本タブレット端末１は、照度センサ１４で検知される照度に基づくタッチスクリーンディスプレイ１２の輝度の制御機能をオンに再設定する（ブロックＢ４）。
【００４０】
以上のように、本タブレット端末１は、タッチスクリーンディスプレイ上での手書き入力中にタッチスクリーンディスプレイの輝度が変動することを防止する。
【００４１】
各実施形態の動作手順は、ソフトウェア（プログラム）によって実現することができるので、このソフトウェアを格納したコンピュータ読み取り可能な記憶媒体を通じてこのソフトウェアを通常のコンピュータにインストールして実行することにより、各実施形態と同様の効果を容易に実現することができる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４３】
１…タブレット端末、１１…本体、１２…タッチスクリーンディスプレイ、１２Ａ…ＬＣＤ、１２Ｂ…タッチパネル、１２Ｃ…デジタイザ、１３…カメラ、１４…照度センサ、３１…手書き入力検出モジュール、３２…画面輝度制御モジュール、１０１…ＣＰＵ、１０２…システムコントローラ、１０２Ａ…輝度コントローラ、１０３…主メモリ、１０４…グラフィクスコントローラ、１０５…ＢＩＯＳ−ＲＯＭ、１０６…不揮発性メモリ、１０７…無線通信デバイス、１０８…ＥＣ、２０１…オペレーティングシステム、２０２…画面輝度制御ユーティリティプログラム、２０３…手書き入力アプリケーションプログラム、３０１…設定情報。
【図１】
2014215749.tif 000003
【図２】
2014215749.tif 000004
【図３】
2014215749.tif 000005
【図４】
2014215749.tif 000006
【図５】
2014215749.tif 000007
【図６】
2014215749.tif 000008